(57)【要約】【課題】無停電で信頼性の高い三相の切り替えを実現すること可能な三相切替装置を提供する。【解決手段】１以上の機器が低圧側に接続されるとともに三相配電線が高圧側に接続される三相切替装置は、三相配電線の３相のうちの２相にそれぞれ接続され、２相の組み合わせが互いに異なる複数の切替部と、複数の切替部を制御する制御部とを備える。複数の切替部の各々は、一方の相に接続された第１の開閉器と、他方の相に接続された第２の開閉器とを含む。第１および第２の開閉器の各々は、２相のうち対応する相に直列接続される第１のスイッチと、第１のスイッチに並列接続される、第２のスイッチおよび電流制限素子の直列体とを有する。制御部は、第１および第２の開閉器の各々における第１および第２のスイッチの開閉を制御することにより、１以上の機器が接続される相を切り替える。【選択図】図２
2015213381.tif 000002
【特許請求の範囲】
【請求項１】
１以上の機器が低圧側に接続されるとともに三相配電線が高圧側に接続されており、前記１以上の機器が接続される前記三相配電線の相を切り替える三相切替装置であって、
前記三相配電線の３相のうちの２相にそれぞれ接続され、前記接続されている２相の組み合わせが互いに異なる複数の切替部と、
前記複数の切替部を制御する制御部とを備え、
前記複数の切替部の各々は、
高圧側に前記２相のうちの一方の相が接続された第１の開閉器と、
前記２相のうちの他方の相と、前記第１の開閉器における低圧側との間に接続された第２の開閉器とを含み、
前記複数の切替部のそれぞれに対応する複数の前記第１の開閉器は、互いに異なる相に接続されており、
前記複数の切替部のそれぞれに対応する複数の前記第２の開閉器は、互いに異なる相に接続されており、
前記第１および第２の開閉器の各々は、
前記２相のうち対応する相に直列接続される第１のスイッチと、
前記第１のスイッチに並列接続される、第２のスイッチおよび電流制限素子の直列体とを有し、
前記制御部は、前記第１および第２の開閉器の各々における前記第１および第２のスイッチの開閉を制御することにより、前記１以上の機器が接続される相を切り替える、三相切替装置。
【請求項２】
前記第１の開閉器が接続された相に前記１以上の機器が接続されている場合には、
前記制御部は、
前記第２の開閉器における前記第２のスイッチを閉じた後、前記第１の開閉器における前記第１のスイッチを開放し、
前記第２の開閉器における前記第１のスイッチを閉じた後、前記第２の開閉器における前記第２のスイッチを開放して、
前記１以上の機器が接続される相を、前記第１の開閉器が接続された相から前記第２の開閉器が接続された相に切り替える、請求項１に記載の三相切替装置。
【請求項３】
前記第２の開閉器が接続された相に前記１以上の機器が接続されている場合には、
前記制御部は、
前記第１の開閉器における前記第２のスイッチを閉じた後、前記第２の開閉器における前記第１のスイッチを開放し、
前記第１の開閉器における前記第１のスイッチを閉じた後、前記第１の開閉器における前記第２のスイッチを開放して、
前記１以上の機器が接続される相を、前記第２の開閉器が接続された相から前記第１の開閉器が接続された相に切り替える、請求項１に記載の三相切替装置。
【請求項４】
前記第１および第２の開閉器の各々は、前記第１のスイッチおよび前記直列体に並列接続される、前記第１および第２のスイッチよりも抵抗が小さい第３のスイッチをさらに有し、
前記制御部は、前記第１および第２の開閉器の各々における前記第１、第２および第３のスイッチの開閉を制御することにより、前記１以上の機器が接続される相を切り替える、請求項１に記載の三相切替装置。
【請求項５】
前記第１の開閉器における前記第３のスイッチを介して、前記第１の開閉器が接続された相に前記１以上の機器が接続されている場合には、
前記制御部は、
前記第１の開閉器における前記第１のスイッチを閉じた後、前記第１の開閉器における前記第３のスイッチを開放し、
前記第２の開閉器における前記第２のスイッチを閉じた後、前記第１の開閉器における前記第１のスイッチを開放し、
前記第２の開閉器における前記第１のスイッチを閉じた後、前記第２の開閉器における前記第２のスイッチを開放し、
前記第２の開閉器における前記第３のスイッチを閉じた後、前記第２の開閉器における前記第１のスイッチを開放して、
前記１以上の機器が接続される相を、前記第１の開閉器が接続された相から前記第２の開閉器が接続された相に切り替える、請求項４に記載の三相切替装置。
【請求項６】
前記第２の開閉器における前記第３のスイッチを介して、前記第２の開閉器が接続された相に前記１以上の機器が接続されている場合、
前記制御部は、
前記第２の開閉器における前記第１のスイッチを閉じた後、前記第２の開閉器における前記第３のスイッチを開放し、
前記第１の開閉器における前記第２のスイッチを閉じた後、前記第２の開閉器における前記第１のスイッチを開放し、
前記第１の開閉器における前記第１のスイッチを閉じた後、前記第１の開閉器における前記第２のスイッチを開放し、
前記第１の開閉器における前記第３のスイッチを閉じた後、前記第１の開閉器における前記第１のスイッチを開放して、
前記１以上の機器が接続される相を、前記第２の開閉器が接続された相から前記第１の開閉器が接続された相に切り替える、請求項４に記載の三相切替装置。
【請求項７】
１以上の機器が低圧側に接続されるとともに三相配電線が高圧側に接続されており、前記１以上の機器が接続される前記三相配電線の相を切り替える三相切替装置であって、
前記三相配電線の３相に接続される複数の切替部と、
前記複数の切替部を制御する制御部とを備え、
前記複数の切替部の各々は、
高圧側に前記３相のうちの第１の相が接続された第１の開閉器と、
前記３相のうちの第２の相と、前記第１の開閉器における低圧側との間に接続された第２の開閉器と、
前記３相のうちの第３の相と、前記第１の開閉器における低圧側との間に接続された第３の開閉器とを含み、
前記第１、第２および第３の開閉器の各々は、
前記３相のうち対応する相に直列接続される第１のスイッチと、
前記第１のスイッチに並列接続される、第２のスイッチおよび電流制限素子の直列体とを有し、
前記制御部は、前記第１、第２および第３の開閉器の各々における前記第１および第２のスイッチの開閉を制御することにより、前記１以上の機器が接続される相を切り替える、三相切替装置。
【請求項８】
三相配電線の各相の電流、電圧または電力を検出する第１の検出器と、
複数の機器と前記三相配電線との間に接続される複数の三相切替装置と、
前記複数の三相切替装置の各々について、当該三相切替装置の低圧側および高圧側のいずれか一方の電流、電圧または電力を検出する第２の検出器と、
前記複数の三相切替装置を制御する監視装置とを備え、
前記複数の三相切替装置の各々は、低圧側に前記複数の機器のうちの１以上の機器が接続されるとともに高圧側に三相配電線が接続されており、前記１以上の機器が接続される前記三相配電線の相を切り替え可能に構成されており、
前記監視装置は、前記第１の検出器の検出結果と、前記複数の三相切替装置のそれぞれに対応する前記第２の検出器の検出結果とに基づいて、前記複数の三相切替装置の中から切替対象となる三相切替装置を選択し、当該選択された三相切替装置に対して切替先の相を指示し、
前記三相切替装置は、
前記三相配電線の３相のうちの２相にそれぞれ接続され、前記接続されている２相の組み合わせが互いに異なる複数の切替部と、
前記複数の切替部を制御する制御部とを備え、
前記複数の切替部の各々は、
高圧側に前記２相のうちの一方の相が接続された第１の開閉器と、
前記２相のうちの他方の相と、前記第１の開閉器における低圧側との間に接続された第２の開閉器とを含み、
前記複数の切替部のそれぞれに対応する複数の前記第１の開閉器は、互いに異なる相に接続されており、
前記複数の切替部のそれぞれに対応する複数の前記第２の開閉器は、互いに異なる相に接続されており、
前記第１および第２の開閉器の各々は、
前記２相のうち対応する相に直列接続される第１のスイッチと、
前記第１のスイッチに並列接続される、第２のスイッチおよび電流制限素子の直列体とを有し、
前記制御部は、前記監視装置から指示された切替先の相に基づいて、前記第１および第２の開閉器の各々における前記第１および第２のスイッチの開閉を制御することにより、前記１以上の機器が接続される相を切り替える、三相切替システム。
【請求項９】
前記三相配電線は、複数の区分を有し、
前記複数の区分の各々に、前記第１の検出器が設けられ、
前記監視装置は、各々の前記第１の検出器の検出結果と前記第２の検出器の検出結果とに基づいて、前記複数の区分の各々について、前記切替対象となる三相切替装置を選択し、当該選択された三相切替装置に対して切替先の相を指示する、請求項８に記載の三相切替システム。
【請求項１０】
前記監視装置は、通信ネットワークを介して前記第１および第２の検出器の検出結果を受信し、前記通信ネットワークを介して切替先の相を示す情報を前記三相切替装置に送信する、請求項８または請求項９に記載の三相切替システム。
【請求項１１】
１以上の機器が低圧側に接続されるとともに第１の三相配電線が高圧側に接続される第１の三相切替部と、
前記１以上の機器が低圧側に接続されるとともに第２の三相配電線が高圧側に接続される第２の三相切替部と、
前記第１および第２の三相切替部を制御する制御手段とを備え、
前記第１の三相切替部は、前記第１の三相配電線の３相のうちの互いに異なる相にそれぞれ接続される複数の第１の開閉器を含み、
前記第２の三相切替部は、前記第２の三相配電線の３相のうちの互いに異なる相にそれぞれ接続され、前記複数の第１の開閉器のそれぞれに対応する複数の第２の開閉器を含み、
前記第２の開閉器の低圧側は、対応する前記第１の開閉器における低圧側に接続され、
前記第１の開閉器が接続される前記第１の三相配電線の相と、前記第２の開閉器が接続される前記第２の三相配電線の相とは互いに異なり、
前記第１および第２の開閉器の各々は、
対応する相に直列接続される第１のスイッチと、
前記第１のスイッチに並列接続される、第２のスイッチおよび電流制限素子の直列体とを有し、
前記制御手段は、前記第１および第２の開閉器の各々における前記第１および第２のスイッチの開閉を制御することにより、前記１以上の機器が接続される相を切り替える、三相切替システム。
【請求項１２】
機器と三相配電線との間に接続される三相切替装置であって、
前記三相配電線の３相のうちの２相にそれぞれ接続され、前記接続されている２相の組み合わせが互いに異なる第１の切替部および第２の切替部と、
前記第１および第２の切替部を制御する制御部とを備え、
前記第１および第２の切替部の各々は、
前記２相のうちの一方の相と、前記機器との間に接続された第１の開閉器と、
前記２相のうちの他方の相と、前記第１の開閉器における前記機器側との間に接続された第２の開閉器とを含み、
前記第１および第２の切替部のそれぞれに対応する２つの前記第１の開閉器は、互いに異なる相に接続されており、
前記第１および第２の切替部のそれぞれに対応する２つの前記第２の開閉器は、互いに異なる相に接続されており、
前記第１および第２の開閉器の各々は、
前記２相のうち対応する相に直列接続される第１のスイッチと、
前記第１のスイッチに並列接続される、第２のスイッチおよび電流制限素子の直列体とを有し、
前記制御部は、前記第１および第２の開閉器の各々における前記第１および第２のスイッチの開閉を制御することにより、前記機器が接続される相を切り替える、三相切替装置。
【請求項１３】
機器と三相配電線との間に接続される三相切替装置であって、
前記三相配電線の３相のうち、前記機器が接続されている１相以外の残りの２相にそれぞれ接続された切替部と、
前記切替部を制御する制御部とを備え、
前記切替部は、
前記２相のうちの一方の相と、前記機器との間に接続された第１の開閉器と、
前記２相のうちの他方の相と、前記第１の開閉器における前記機器側との間に接続された第２の開閉器とを含み、
前記第１および第２の開閉器の各々は、
前記２相のうち対応する相に直列接続される第１のスイッチと、
前記第１のスイッチに並列接続される、第２のスイッチおよび電流制限素子の直列体とを有し、
前記制御部は、前記第１および第２の開閉器の各々における前記第１および第２のスイッチの開閉を制御することにより、前記機器が接続される相を切り替える、三相切替装置。
【発明の詳細な説明】
【技術分野】
【０００１】
本発明は、三相配電線の三相の切り替えを行なう三相切替装置、および三相切替システムに関する。
【背景技術】
【０００２】
単相負荷は、高圧三相配電線の三相のうち任意の二相に接続されることから、単相負荷が特定の二相に集中して接続される場合がある。このような場合、三相負荷電流の不平衡が生じるため、電力設備の利用効率が低下したり、三相誘導モータなどの負荷に影響を及ぼしたりする。そこで、以下の技術のように、三相配電線の不平衡を抑制するために、一部の負荷の接続相の切り替えが行なわれている。
【０００３】
たとえば、特開平６−１６５３８９号公報には、三相配線線の三相切替え装置が開示されている。三相切替え装置は、三相配電線の各相の切断点と並列に開閉器を取り付けるとともに、各相の切断点よりも電源側の点と他相の切断点よりも負荷側の点との間に、開閉器の開路に引き続き高速で閉動作を行う無接点開閉器を取り付けている。
【先行技術文献】
【特許文献】
【０００４】
【特許文献１】特開平６−１６５３８９号公報
【発明の概要】
【発明が解決しようとする課題】
【０００５】
しかしながら、特許文献１に開示された技術では、負荷の接続相の切り替えにより三相高圧配電線の不平衡を解消しようとしているが、負荷と切替前の相との間に接続された無接点開閉器を開放した後、負荷と切替後の相との間に接続された無接点開閉器を閉じているため、停電を避けることができていない。
【０００６】
本発明は、上記のような問題点を解決するためになされたものであって、無停電で信頼性の高い三相の切り替えを実現することが可能な三相切替装置、および三相切替システムを提供することを目的とする。
【課題を解決するための手段】
【０００７】
ある実施の形態に従うと、１以上の機器が低圧側に接続されるとともに三相配電線が高圧側に接続されており、１以上の機器が接続される三相配電線の相を切り替える三相切替装置が提供される。三相切替装置は、三相配電線の３相のうちの２相にそれぞれ接続され、当該接続されている２相の組み合わせが互いに異なる複数の切替部と、複数の切替部を制御する制御部とを備える。複数の切替部の各々は、高圧側に２相のうちの一方の相が接続された第１の開閉器と、２相のうちの他方の相と第１の開閉器における低圧側との間に接続された第２の開閉器とを含む。複数の切替部のそれぞれに対応する複数の第１の開閉器は、互いに異なる相に接続されている。複数の切替部のそれぞれに対応する複数の第２の開閉器は、互いに異なる相に接続されている。第１および第２の開閉器の各々は、２相のうち対応する相に直列接続される第１のスイッチと、第１のスイッチに並列接続される、第２のスイッチおよび電流制限素子の直列体とを有する。制御部は、第１および第２の開閉器の各々における第１および第２のスイッチの開閉を制御することにより、１以上の機器が接続される相を切り替える。
【発明の効果】
【０００８】
本発明によると、無停電で信頼性の高い三相の切り替えを実現することが可能となる。
【図面の簡単な説明】
【０００９】
【図１】三相配電線１における三相負荷電流の不平衡状態および平衡状態を説明するための図である。
【図２】実施の形態１に従う三相切替装置の構成を示す概略図である。
【図３】実施の形態１に従う制御部の制御方式の一例を説明するための図である。
【図４】実施の形態１に従う第１の開閉器の動作および第２の開閉器の動作を示すタイミングチャートである。
【図５】実施の形態１に従う制御部の制御方式の他の例を説明するための図である。
【図６】実施の形態１に従う三相切替装置を用いる利点を説明するための図である。
【図７】実施の形態２に従う三相切替装置の構成を示す概略図である。
【図８】実施の形態３に従う三相切替装置の構成を示す概略図である。
【図９】実施の形態３に従う制御部の制御方式の一例を説明するための図である。
【図１０】実施の形態３に従う制御部の制御方式の他の例を説明するための図である。
【図１１】実施の形態４に従う三相切替システムの全体構成を示す図である。
【図１２】実施の形態５に従う三相切替システムの全体概要を示す図である。
【図１３】実施の形態６に従う三相切替システムの構成を示す概略図である。
【図１４】実施の形態７に従う三相切替装置の構成を示す概略図である。
【図１５】実施の形態８に従う三相切替装置の構成を示す概略図である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［関連技術およびその課題］
まず、本発明の関連技術およびその関連技術における課題などについて説明する。
【００１２】
図１は、三相配電線１における三相負荷電流の不平衡状態および平衡状態を説明するための図である。具体的には、図１（ａ）は、三相負荷電流の不平衡状態を表わす図であり、図１（ｂ）は、三相の切り替えにより三相負荷電流の不平衡を解消した状態を表わす図である。
【００１３】
図１（ａ）に示すように、単相機器１００ａ〜１００ｄ（以下、総称するときは「単相機器１００」という。）が、それぞれ変圧器７ａ〜７ｄ（以下、総称するときは「変圧器７」という。）を介して三相配電線１の三相のうちの特定の二相（ＢＣ相）に集中して接続されている。そのため、ＢＣ相は、ＡＢ相およびＣＡ相に比べて負荷電流が大きくなっていると考えられ、三相負荷電流の不平衡状態を招いている。
【００１４】
単相機器１００の一例としては、１００Ｖまたは２００Ｖの電気機器や、近年家庭や小口需要家への設置が急速に普及している太陽光発電装置などの分散型電源がある。特に分散型電源は、家電機器などの通常の負荷よりも負荷容量が大きいことから、今後、三相負荷電流の不平衡状態をさらに招きやすくなることが予想される。そのため、三相負荷電流の不平衡状態が発生した場合であっても、これを解消または抑制するための仕組みがより一層重要となってきている。なお、単相機器１００は、単一または複数の電気機器（または分散型電源）で構成されている。
【００１５】
たとえば、図１（ｂ）のように、三相配電線１の負荷電流の不平衡を解消または抑制するために、単相機器１００ａ〜１００ｄのうち一部の単相機器の接続相を他の相に切り替えることが考えられる。図１（ｂ）の例では、単相機器１００ｃ，１００ｄの接続相を、ＢＣ相（図１（ａ）参照）からＡＢ相に切り替えている。
【００１６】
上述の特開平６−１６５３８９号公報に開示された手法は、三相の切り替えを行なうものではあるが、瞬時停電が生じるため、コンピュータの揮発性メモリなどにおけるデータ消失、ネットワークの切断などの悪影響を及ぼす可能性があり、信頼性の高い手法とは言えない。
【００１７】
そこで、上述したような先行技術における課題を考慮して、本実施の形態に従う三相切替装置は、三相配電線の各相に複数の開閉器を接続し、これらの開閉器のスイッチングを適切に行なうことにより、無停電で単相機器の接続相の切り替えを行なう。
【００１８】
［実施の形態１］
＜装置構成＞
図２は、実施の形態１に従う三相切替装置２００の構成を示す概略図である。
【００１９】
図２を参照して、三相切替装置２００は、複数の機器５０，５１，５２と三相配電線１との間に接続されている。具体的には、三相切替装置２００の低圧側には機器５０，５１，５２が接続され、高圧側には三相配電線１が接続されている。三相切替装置２００は、機器５０，５１，５２が接続される相を切り替え可能に構成されている。電力系統には、たとえば６．６ｋＶの多数の三相配電線があり、三相配電線１は多数の三相配電線の中の任意の三相配電線である。
【００２０】
機器５０，５１，５２は、それぞれ、変圧器を介して単相１００Ｖあるいは単相２００Ｖに降圧される電気機器、太陽光発電装置またはガスタービンなどの分散型電源、および６．６ｋＶの電力を直接受電する産業用モータなどの電力機器を含む。機器５０は、後述する三相切替装置２００の切替部２０ｙ，２０ｚを介して２相に接続される機器の総称であり、機器５１は、切替部２０ｘ，２０ｙを介して２相に接続される機器の総称であり、機器５２は、切替部２０ｚ，２０ｘを介して２相に接続される機器の総称である。
【００２１】
機器５０，５１，５２は、それぞれ、上述した機器などのうち単一の電気機器（電力機器）または分散型電源で構成されていてもよいし、複数の電気機器および分散型電源から構成されていてもよい。
【００２２】
三相切替装置２００は、切替部２０ｘ，２０ｙ，２０ｚ（以下「切替部２０」とも総称する。）と、制御部４０とを含む。切替部２０ｘ，２０ｙ，２０ｚは、それぞれ第１の開閉器１１ｘ，１１ｙ，１１ｚ（以下「第１の開閉器１１」とも総称する。）を含む。また、切替部２０ｘ，２０ｙ，２０ｚは、それぞれ第２の開閉器１２ｘ，１２ｙ，１２ｚ（以下「第２の開閉器１２」とも総称する。）を含む。
【００２３】
切替部２０ｘ，２０ｙ，２０ｚの各々は、三相配電線１の３相（Ａ相、Ｂ相、Ｃ相）のうちの２相にそれぞれ接続され、当該接続された２相の組み合わせが互いに異なっている。具体的には、切替部２０ｘはＡ相およびＣ相に接続されており、切替部２０ｙはＢ相およびＡ相に接続されており、切替部２０ｚはＣ相およびＢ相に接続されている。
【００２４】
切替部２０ｘにおいて、第１の開閉器１１ｘは、高圧側（一次側）で切替部２０ｘが接続された２相（Ａ相、Ｃ相）のうちのＡ相に接続されており、低圧側（二次側）で機器５１，５２の一端に接続されている。また、第２の開閉器１２ｘは、高圧側で切替部２０ｘが接続された２相のうちのＣ相に接続されており、低圧側で第１の開閉器１１ｘにおける低圧側（機器５１，５２の一端側）に接続されている。
【００２５】
切替部２０ｙにおいて、第１の開閉器１１ｙは、高圧側で切替部２０ｙが接続された２相（Ｂ相、Ａ相）のうちのＢ相に接続されており、低圧側で機器５０の一端および機器５１の他端に接続されている。また、第２の開閉器１２ｙは、高圧側でＡ相に接続されており、低圧側で第１の開閉器１１ｙにおける低圧側に接続されている。
【００２６】
切替部２０ｚにおいて、第１の開閉器１１ｚは、高圧側で切替部２０ｚが接続された２相（Ｃ相、Ｂ相）のうちのＣ相に接続されており、低圧側で機器５０，５２の他端に接続されている。また、第２の開閉器１２ｚは、高圧側でＢ相に接続されており、低圧側で第１の開閉器１１ｚにおける低圧側に接続されている。
【００２７】
すなわち、切替部２０ｘ，２０ｙ，２０ｚにそれぞれ対応する第１の開閉器１１ｘ，１１ｙ，１１ｚは、互いに異なる相に接続されている。また、切替部２０ｘ，２０ｙ，２０ｚにそれぞれ対応する第２の開閉器１２ｘ，１２ｙ，１２ｚも、互いに異なる相に接続されている。
【００２８】
第１の開閉器１１および第２の開閉器１２の各々は、第１のスイッチ３１と、第２のスイッチ３２と、電流制限素子３３とを含む。第１のスイッチ３１は、切替部２０が接続された２相のうちの対応する相に直列接続される。具体的には、第１の開閉器１１ｘ，１１ｙ，１１ｚの各々の第１のスイッチ３１は、それぞれＡ相、Ｂ相、Ｃ相に直列接続される。第２の開閉器１２ｘ，１２ｙ，１２ｚの各々の第１のスイッチ３１は、それぞれＣ相、Ａ相、Ｂ相に直列接続される。
【００２９】
第２のスイッチ３２と電流制限素子３３とから構成される直列体は、第１のスイッチ３１に並列接続される。なお、第１のスイッチ３１、第２のスイッチ３２、および電流制限素子３３については、図面の見やすさを考慮して、代表して第１の開閉器１１ｘのみ符号を図示している。
【００３０】
第１のスイッチ３１および第２のスイッチ３２は、双方向スイッチであり、かつ高速に開閉可能な無接点スイッチである。第１のスイッチ３１および第２のスイッチ３２は、両極性の半導体スイッチ、たとえば逆並列サイリスタ、トライアックで構成される。電流制限素子３３は、抵抗体、またはリアクトルで構成される。
【００３１】
制御部４０は、第１の開閉器１１および第２の開閉器１２の各々における第１のスイッチ３１および第２のスイッチ３２の開閉を制御する。制御部４０は、後述する制御方式に従ってこれらのスイッチの開閉を制御することにより、機器５０，５１，５２が接続されている相を他の相に切り替える。
【００３２】
制御部４０は、回路等のハードウェア構成であってもよいし、図示しないＣＰＵ（Central  Processing  Unit）を含み、ＣＰＵがメモリに格納されたプログラムを実行することによって実現される構成であってもよい。また、制御部４０は、外部からの入力を受け付ける入力受付機能、外部との通信を行なう通信機能を有していてもよい。
【００３３】
＜制御方式＞
図３を参照しながら、制御部４０の具体的な制御方式について説明する。
【００３４】
図３は、実施の形態１に従う制御部の制御方式の一例を説明するための図である。なお、図３には、説明の容易化のため、三相切替装置２００の構成の一部および符号を図示しないが、これらは上述した図２のように構成されているものとする。これは、後述する図５でも同様である。
【００３５】
図３（ａ）に示すように、複数の第１の開閉器１１ｘ，１１ｙ，１１ｚの各々の第１のスイッチ３１が閉じており、他のスイッチは全て開放されている。その結果、第１の開閉器１１が接続された相に機器５０，５１，５２が接続されているとする。
【００３６】
具体的には、機器５０は、第１の開閉器１１ｙおよび１１ｚがそれぞれ接続されたＢ相およびＣ相（ＢＣ相）に接続されている。機器５１は、第１の開閉器１１ｘおよび１１ｙがそれぞれ接続されたＡ相およびＢ相（ＡＢ相）に接続されている。機器５２は、第１の開閉器１１ｚおよび１１ｘがそれぞれ接続されたＣ相およびＡ相（ＣＡ相）に接続されている。なお、制御部４０は、すべての第１および第２のスイッチの開閉状態を確認することにより、スイッチが図３（ａ）のような状態であることを把握することができる。
【００３７】
図３（ｂ）に示すように、制御部４０は、図３（ａ）の状態から、第２の開閉器１２ｘ，１２ｙ，１２ｚの各々における第２のスイッチ３２を閉じる。このとき、切替部２０ｘにおいて、第１の開閉器１１ｘの第１のスイッチ３１と、第２の開閉器１２ｘの直列体（第２のスイッチ３２および電流制限素子３３）とを介して電流のループ状態が形成される。同様に、他の切替部２０ｙ，２０ｚにおいても電流のループ状態が形成される。
【００３８】
具体的には、Ａ相から第１の開閉器１１ｘ、第２の開閉器１２ｘを通過してＣ相にループ電流が流れる。Ｂ相から第１の開閉器１１ｙ、第２の開閉器１２ｙを通過してＡ相にループ電流が流れる。Ｃ相から第１の開閉器１１ｚ、第２の開閉器１２ｚを通過してＢ相にループ電流が流れる。第２の開閉器１２の電流制限素子３３は、このループ電流が過大にならないように調整する機能を有している。
【００３９】
続いて、図３（ｃ）に示すように、図３（ｂ）の状態から、制御部４０は、第１の開閉器１１ｘ，１１ｙ，１１ｚの各々における第１のスイッチ３１を開放する（閉状態から開状態にする）。これにより、上述したループ電流は流れなくなり、第２の開閉器１２の直列体を介して電力が機器５０，５１，５２に供給される。
【００４０】
続いて、図３（ｄ）に示すように、図３（ｃ）の状態から、制御部４０は、第２の開閉器１２ｘ，１２ｙ，１２ｚの各々における第１のスイッチ３１を閉じた後（開状態から閉状態にした後）、第２の開閉器１２ｘ，１２ｙ，１２ｚの各々における第２のスイッチ３２を開放する（閉状態から開状態にする）。これにより、電流経路から電流制限素子３３を外した状態で、機器５０，５１，５２に電力を供給することができる。
【００４１】
制御部４０のこのような制御方式により、Ａ相がＣ相に、Ｂ相がＡ相に、Ｃ相がＢ相に切り替えられる。具体的には、機器５０が接続される２相（接続相）はＢＣ相からＡＢ相に切り替わり、機器５１の接続相はＡＢ相からＣＡ相に切り替わり、機器５２の接続相はＣＡ相からＢＣ相に切り替わる。
【００４２】
図４は、実施の形態１に従う第１の開閉器の動作および第２の開閉器の動作を示すタイミングチャートである。制御部４０は、図４に示すタイミングチャートに従って、第１のスイッチ３１および第２のスイッチ３２のオンオフ制御を行なう。制御部４０は、これらの一連のオンオフ制御を、内蔵されたタイマ、またはシーケンサなどにより予め定められた時間差で実行するように構成されている。
【００４３】
図４を参照して、制御部４０は、第２の開閉器１２ｘ〜１２ｚの第２のスイッチ３２がオン（閉）状態のときに、第１の開閉器１１ｘ〜１１ｚの第１のスイッチ３１をオフ（開放）する。すなわち、機器５０，５１，５２のそれぞれに第１の開閉器１１および第２の開閉器１２の両方を介して電力供給されるオーバーラップ時間ｔ１が生じることから、各機器に対する一方の開閉器（第１の開閉器１１）を介した電力供給を遮断しても、各機器には他方の開閉器（第２の開閉器１２）を介して電力が供給される。そのため、当該オンオフ制御により各機器に対する電力供給が途切れることはなく、瞬時停電が発生することもない。
【００４４】
また、制御部４０は、第２の開閉器１２ｘ〜１２ｚの第１のスイッチ３１がオン状態のときに、第２の開閉器１２ｘ〜１２ｚの第２のスイッチ３２をオフする。この場合、機器５０，５１，５２のそれぞれに第２の開閉器１２（における第１のスイッチ３１および第２のスイッチ３２の両方）を介して電力供給されるオーバーラップ時間ｔ２が生じることから、瞬時停電を発生させることなく電力供給を継続できる。
【００４５】
次に、切替後の相を切替前の相に戻す場合の制御方式について説明する。具体的には、切替後のＣ相を切替前のＡ相に、切替後のＡ相を切替前のＢ相に、切替後のＢ相を切替前のＣ相に戻す場合の制御方式について説明する。
【００４６】
図５は、実施の形態１に従う制御部の制御方式の他の例を説明するための図である。なお、制御部４０は、図４に示すタイミングチャートのように、第１のスイッチ３１および第２のスイッチ３２のオンオフ制御する場合には、オーバーラップ時間を設ける。
【００４７】
図５（ａ）に示すように、第２の開閉器１２ｘ，１２ｙ，１２ｚの各々の第１のスイッチ３１が閉じており、他のスイッチは全て開放されている。その結果、第２の開閉器１２が接続された相に機器５０，５１，５２が接続されている。具体的には、機器５０は、第２の開閉器１２ｙ，１２ｚがそれぞれ接続されたＡ相，Ｂ相に接続されている。機器５１は、第２の開閉器１２ｘ，１２ｙがそれぞれ接続されたＣ相，Ａ相に接続されている。機器５２は、第２の開閉器１２ｘ，１２ｚがそれぞれ接続されたＣ相，Ｂ相に接続されている。すなわち、図５（ａ）の状態は、図３（ｄ）の状態と同じである。
【００４８】
図５（ｂ）に示すように、図５（ａ）の状態から、制御部４０は、第１の開閉器１１ｘ，１１ｙ，１１ｚの各々における第２のスイッチ３２を閉じる。このとき、第２の開閉器１２の第１のスイッチ３１と第１の開閉器１１の直列体とを介して電流のループ状態が形成される。
【００４９】
具体的には、Ｃ相から第２の開閉器１２ｘ、第１の開閉器１１ｘを通過してＡ相にループ電流が流れる。Ａ相から第２の開閉器１２ｙ、第１の開閉器１１ｙを通過してＢ相にループ電流が流れる。Ｂ相から第２の開閉器１２ｚ、第１の開閉器１１ｚを通過してＣ相にループ電流が流れる。
【００５０】
続いて、図５（ｃ）に示すように、図５（ｂ）の状態から、制御部４０は、第２の開閉器１２ｘ，１２ｙ，１２ｚの各々における第１のスイッチ３１を開放する。これにより、上述したループ電流は流れなくなり、第１の開閉器１１の直列体を介して電力が機器５０，５１，５２に供給される。
【００５１】
続いて、図５（ｄ）に示すように、図５（ｃ）の状態から、制御部４０は、第１の開閉器１１ｘ，１１ｙ，１１ｚの各々における第１のスイッチ３１を閉じた後、第１の開閉器１１ｘ，１１ｙ，１１ｚの各々における第２のスイッチ３２を開放する。
【００５２】
制御部４０のこのような制御方式により、Ｃ相がＡ相に、Ａ相がＢ相に、Ｂ相がＣ相に切り替えられる。すなわち、機器５０が接続される２相（接続相）はＡＢ相からＢＣ相に切り替わり、機器５１の接続相はＣＡ相からＡＢ相に切り替わり、機器５２の接続相はＢＣ相からＣＡ相に切り替わり、切替前の接続相に戻される。
【００５３】
＜その他＞
上記では、三相切替装置２００の低圧側に機器５０，５１，５２が接続されている構成について説明したが、当該構成に限られない。たとえば、機器５０，５１が三相切替装置２００の低圧側に接続され、機器５２は接続されていない構成であってもよい。この場合、機器５０，５１について接続相の切り替えが行われる。また、機器５０が三相切替装置２００の低圧側に接続され、機器５１，５２は接続されていない構成であってもよい。この場合、機器５０について接続相の切り替えが行われる。すなわち、三相切替装置２００の低圧側に機器５０，５１，５２のうちの１以上の機器が接続されていればよい。
【００５４】
＜利点＞
実施の形態１に従う三相切替装置２００を利用すると、無停電で三相配電線の負荷電流の不平衡を解消、または抑制することが可能となる。
【００５５】
図６は、実施の形態１に従う三相切替装置を用いる利点を説明するための図である。
図６（ａ）および図６（ｂ）は、それぞれ図１（ａ）および図１（ｂ）に三相切替装置２００ｘ，２００ｙを設けた概略図である。三相切替装置２００ｘ，２００ｙは、実施の形態１に従う三相切替装置２００と同じ構成および機能を有する。
【００５６】
図６を参照して、三相切替装置２００ｘは、三相配電線１と変圧器７ａ，７ｂとの間に設けられ、三相切替装置２００ｙは、三相配電線１と変圧器７ｃ，７ｄとの間に設けられている。
【００５７】
図６（ａ）に示すように、複数の単相機器１００がＢＣ相に集中して接続されており、ＢＣ相が、ＡＢ相およびＣＡ相に比べて負荷電流が大きくなっている場合であっても、三相切替装置２００ｙがＢＣ相からＡＢ相に切り替え動作を行なうことで、無停電で図６（ｂ）に示すように単相機器１００ｃ，１００ｄの接続相を切り替えることができる。
【００５８】
このように、実施の形態１に従う三相切替装置を用いることにより、機器の接続相を、切り替え時に停電を伴うことなく切り替えて三相負荷電流の不平衡を抑制できる。また三相不平衡の抑制により、電力利用の効率の高い状態を信頼性良く保つことができる。
【００５９】
［実施の形態２］
実施の形態１では、機器５０、機器５１、および機器５２の接続相のパターンは、それぞれＢＣ相、ＡＢ相、ＣＡ相のパターンと、それぞれＡＢ相、ＣＡ相、ＢＣ相のパターンとの２通りであった。実施の形態２では、当該２通りのパターンを含む６通りのパターンの接続相を実現することが可能な三相切替装置の構成について説明する。
【００６０】
＜装置構成＞
図７は、実施の形態２に従う三相切替装置２０２の構成を示す概略図である。なお、三相切替装置２０２の構成のうち、実施の形態１に従う三相切替装置２００の構成と同じ構成についてはその詳細な説明は繰り返さない。
【００６１】
図７を参照して、三相切替装置２０２は、複数の機器５０，５１，５２と三相配電線１との間に接続されている。具体的には、三相切替装置２０２の低圧側には機器５０，５１，５２が接続され、高圧側には三相配電線１が接続されている。三相切替装置２０２は、機器５０，５１，５２が接続される相を切り替え可能に構成されている。三相切替装置２０２は、切替部２２ｘ，２２ｙ，２２ｚ（以下「切替部２２」とも総称する。）と、制御部４２とを含む。
【００６２】
切替部２２ｘ，２２ｙ，２２ｚは、それぞれ第１の開閉器６１ｘ，６１ｙ，６１ｚ（以下「第１の開閉器６１」とも総称する。）を含む。切替部２２ｘ，２２ｙ，２２ｚは、それぞれ第２の開閉器６２ｘ，６２ｙ，６２ｚ（以下「第２の開閉器６２」とも総称する。）を含む。切替部２２ｘ，２２ｙ，２２ｚは、それぞれ第３の開閉器６３ｘ，６３ｙ，６３ｚ（以下「第３の開閉器６３」とも総称する。）を含む。
【００６３】
第１の開閉器６１と実施の形態１に従う第１の開閉器１１とは実質的に同じであり、第２の開閉器６２と実施の形態１に従う第２の開閉器１２とは実質的に同じである。そのため、実施の形態２に従う切替部２２の構成は、実施の形態１に従う切替部２０の構成に第３の開閉器６３を追加したものに相当する。なお、第３の開閉器６３は、第１のスイッチ３１と、第２のスイッチ３２と、電流制限素子３３とを含む。なお、第１のスイッチ３１と、第２のスイッチ３２と、電流制限素子３３については、図面の見やすさを考慮して、代表して第１の開閉器６１ｘのみ符号を図示している。
【００６４】
複数の切替部２２ｘ，２２ｙ，２２ｚは、三相配電線１の３相（Ａ相、Ｂ相、Ｃ相）すべてに接続されている。具体的には、切替部２２ｘにおいて、第１の開閉器６１ｘは、高圧側で３相のうちのＡ相に接続されており、低圧側で機器５１，５２の一端に接続されている。第２の開閉器６２ｘは、高圧側で３相のうちのＢ相に接続されており、低圧側で第１の開閉器６１ｘにおける低圧側に接続されている。第３の開閉器６３ｘは、高圧側で３相のうちのＣ相に接続されており、低圧側で第１の開閉器６１ｘにおける低圧側に接続されている。
【００６５】
切替部２２ｙにおいて、第１の開閉器６１ｙは、高圧側で３相のうちのＡ相に接続されており、低圧側で機器５０の一端および機器５１の他端に接続されている。第２の開閉器６２ｙは、高圧側で３相のうちのＢ相に接続されており、低圧側で第１の開閉器６１ｙにおける低圧側に接続されている。第３の開閉器６３ｙは、高圧側で３相のうちのＣ相に接続されており、低圧側で第１の開閉器６１ｙにおける低圧側に接続されている。
【００６６】
切替部２２ｚにおいて、第１の開閉器６１ｚは、高圧側で３相のうちのＡ相に接続されており、低圧側で機器５０，５２の他端に接続されている。第２の開閉器６２ｚは、高圧側で３相のうちのＢ相に接続されており、低圧側で第１の開閉器６１ｚにおける低圧側に接続されている。第３の開閉器６３ｚは、高圧側で３相のうちのＣ相に接続されており、低圧側で第１の開閉器６１ｚにおける低圧側に接続されている。
【００６７】
第１の開閉器６１ｘ，６１ｙ，６１ｚの各々の第１のスイッチ３１はＡ相に直列接続され、第２の開閉器６２ｘ，６２ｙ，６２ｚの各々の第１のスイッチ３１はＢ相に直列接続され、第３の開閉器６３ｘ，６３ｙ，６３ｚの各々の第１のスイッチ３１はＣ相に直列接続される。
【００６８】
制御部４２は、第１の開閉器６１、第２の開閉器６２および第３の開閉器６３の各々における第１のスイッチ３１および第２のスイッチ３２の開閉を制御する。制御部４２は、後述する制御方式に従って当該開閉を実行することにより、機器５０，５１，５２が接続されている相を他の相に切り替える。
【００６９】
＜制御方式＞
実施の形態１に従う切替部２０には三相配電線１の３相のうちの２相が接続されていたが、実施の形態２に従う切替部２２には３相すべてが接続されている。具体的には、第１の開閉器６１はＡ相に接続され、第２の開閉器６２はＢ相に接続され、第３の開閉器６３はＣ相に接続されている。そのため、制御部４２の制御方式は、制御部４０の制御方式とは若干異なる。
【００７０】
そこで、一例として、実施の形態２に従う制御部４２が、実施の形態１に従う制御部４０が実行する接続相の切り替えを実現する場合について考える。切替前の段階で、図７に示すように、第１の開閉器６１ｘ、第２の開閉器６２ｙおよび第３の開閉器６３ｚの第１のスイッチ３１が閉じられており、他のスイッチは開放されている状態であるとする。この状態から、Ａ相をＣ相に、Ｂ相をＡ相に、Ｃ相をＢ相に切り替える場合を考える。なお、制御部４２は、図４に示すタイミングチャートのように、第１のスイッチ３１および第２のスイッチ３２のオンオフ制御する場合には、オーバーラップ時間を設ける。
【００７１】
制御部４２は、切替部２２ｘにおける第２の開閉器６２ｘ、切替部２２ｙにおける第３の開閉器６３ｙ、および切替部２２ｚにおける第１の開閉器６１ｚの各スイッチ（第１のスイッチ３１および第２のスイッチ３２）を開放状態で固定する。すなわち、制御部４２は、これらのスイッチについては開放したままで開閉制御を行なわない。
【００７２】
この場合、第１の開閉器６１ｘ（Ａ相に接続）、第２の開閉器６２ｙ（Ｂ相に接続）および第３の開閉器６３ｚ（Ｃ相に接続）は、それぞれ実施の形態１に従う第１の開閉器１１ｘ、第１の開閉器１１ｙおよび第１の開閉器１１ｚとみなすことができる。また、第３の開閉器６３ｘ（Ｃ相に接続）、第１の開閉器６１ｙ（Ａ相に接続）および第２の開閉器６２ｚ（Ｂ相に接続）は、それぞれ実施の形態１に従う第２の開閉器１２ｘ、第２の開閉器１２ｙおよび第２の開閉器１２ｚとみなすことができる。
【００７３】
そのため、上述した制御部４０の第１の開閉器１１ｘ〜１１ｚ、第２の開閉器１２ｘ〜１２ｚの各スイッチの制御方式と同じ制御方式により、制御部４２は、第１の開閉器６１ｘならびに第３の開閉器６３ｘ、第２の開閉器６２ｙならびに第１の開閉器６１ｙ、および第３の開閉器６３ｚならびに第２の開閉器６２ｚの各スイッチの開閉を制御することにより、機器５０，５１，５２の接続相を制御部４０と同じように切り替えることができる。具体的には、制御部４２が図３で説明した制御方式に従う場合には、機器５０，５１，５２の接続相を、それぞれＢＣ相、ＡＢ相、ＣＡ相に切り替えることができる。また、制御部４２が図６で説明した制御方式に従う場合には、機器５０，５１，５２の接続相を、それぞれＡＢ相、ＣＡ相、ＢＣ相に戻すことができる。
【００７４】
また、図７に示す状態から、制御部４２が、第３の開閉器６３ｙおよび第２の開閉器６２ｚの各々の第２のスイッチ３２を閉じた後、第２の開閉器６２ｙおよび第３の開閉器６３ｚの第１のスイッチ３１を開放する。そして、制御部４２は、第３の開閉器６３ｙおよび第２の開閉器６２ｚの各々の第１のスイッチ３１を閉じた後、第３の開閉器６３ｙおよび第２の開閉器６２ｚの各々の第２のスイッチ３２を開放する。
【００７５】
これにより、機器５０，５１，５２の接続相は、それぞれＢＣ相からＣＢ相、ＡＢ相からＡＣ相、ＣＡ相からＢＡ相に切り替わる。
【００７６】
このように、制御部４２は、第１の開閉器６１、第２の開閉器６２、および第３の開閉器６３の各々の第１のスイッチ３１および第２のスイッチ３２の開閉を制御することにより、各機器の一端および他端にＡ相、Ｂ相、Ｃ相の３相すべてを無停電で接続可能となる。そのため、機器５０，５１，５２の接続相として、第１のパターン（ＡＢ相、ＢＣ相、ＣＡ相）、第２のパターン（ＡＣ相、ＣＢ相、ＢＡ相）、第３のパターン（ＢＡ相、ＡＣ相、ＣＢ相）、第４のパターン（ＢＣ相、ＣＡ相、ＡＢ相）、第５のパターン（ＣＡ相、ＡＢ相、ＢＣ相）、第６のパターン（ＣＢ相、ＢＡ相、ＡＣ相）の全６通りのパターンを実現することができる。
【００７７】
＜その他＞
実施の形態２においても、実施の形態１と同様に、三相切替装置２０２の低圧側に機器５０，５１，５２が接続されている構成に限られない。具体的には、三相切替装置２０２の低圧側に機器５０，５１，５２のうちの１以上の機器が接続されていればよい。
【００７８】
＜利点＞
実施の形態２によると、機器５０〜５２の接続相をある特定の相だけではなく、任意の相に無停電で切り替えることができる。そのため、実施の形態２に従う三相切替装置を用いることで、実施の形態１の利点に加えて、三相不平衡状態をより精度よく抑制または解消することができる。
【００７９】
［実施の形態３］
＜装置構成＞
図８は、実施の形態３に従う三相切替装置２０３の構成を示す概略図である。なお、三相切替装置２０３の構成のうち、実施の形態１に従う三相切替装置２００の構成と同じ構成についてはその詳細な説明は繰り返さない。
【００８０】
図８を参照して、三相切替装置２０３は、複数の機器５０，５１，５２と三相配電線１との間に接続されている。具体的には、三相切替装置２０３の低圧側には機器５０，５１，５２が接続され、高圧側には三相配電線１が接続されている。三相切替装置２０３は、機器５０，５１，５２が接続される相を切り替え可能に構成されている。
【００８１】
三相切替装置２０３は、切替部２３ｘ，２３ｙ，２３ｚ（以下「切替部２３」とも総称する。）と、制御部４３とを含む。切替部２３ｘ，２３ｙ，２３ｚは、それぞれ第１の開閉器７１ｘ，７１ｙ，７１ｚ（以下「第１の開閉器７１」とも総称する。）を含む。また、切替部２３ｘ，２３ｙ，２３ｚは、それぞれ第２の開閉器７２ｘ，７２ｙ，７２ｚ（以下「第２の開閉器７２」とも総称する。）を含む。複数の切替部２３は、三相配電線１の３相（Ａ相、Ｂ相、Ｃ相）のうちの２相にそれぞれ接続され、当該接続された２相の組み合わせが互いに異なっている。
【００８２】
切替部２３ｘにおいて、第１の開閉器７１ｘは、高圧側でＡ相に接続されており、低圧側で機器５１，５２の一端に接続されている。また、第２の開閉器７２ｘは、高圧側でＣ相に接続されており、低圧側で第１の開閉器７１ｘにおける低圧側（機器５１，５２側）に接続されている。
【００８３】
切替部２３ｙにおいて、第１の開閉器７１ｙは、高圧側でＢ相に接続されており、低圧側で機器５０の一端および機器５１の他端に接続されている。また、第２の開閉器７２ｙは、高圧側でＡ相に接続されており、低圧側で第１の開閉器７１ｙにおける低圧側に接続されている。
【００８４】
切替部２３ｚにおいて、第１の開閉器７１ｚは、高圧側でＣ相に接続されており、低圧側で機器５０，５２の他端に接続されている。また、第２の開閉器７２ｚは、高圧側でＢ相に接続されており、低圧側で第１の開閉器７１ｚにおける低圧側に接続されている。
【００８５】
つまり、実施の形態１と同様に、複数の第１の開閉器７１ｘ，７１ｙ，７１ｚの接続相は互いに異なり、複数の第２の開閉器７２ｘ，７２ｙ，７２ｚの接続相も互いに異なる。
【００８６】
第１の開閉器７１および第２の開閉器７２の各々は、第１のスイッチ３１と、第２のスイッチ３２と、電流制限素子３３と、第３のスイッチ３４とを含む。すなわち、これらの開閉器は、実施の形態１に従う第１の開閉器１１（または第２の開閉器１２）の構成に第３のスイッチ３４を追加したものに相当する。なお、第１のスイッチ３１と、第２のスイッチ３２と、電流制限素子３３と第３のスイッチ３４については、図面の見やすさを考慮して、代表して第１の開閉器７１ｘのみ符号を図示している。
【００８７】
第３のスイッチ３４は、第１のスイッチ３１および直列体に並列接続される。また、第３のスイッチ３４は、有接点スイッチであり、第１のスイッチ３１および第２のスイッチ３２よりもオン抵抗が小さい。ただし、第３のスイッチ３４は、有接点スイッチであるため、無接点スイッチである第１のスイッチ３１および第２のスイッチ３２よりも開閉速度は遅い。
【００８８】
制御部４３は、第１の開閉器７１および第２の開閉器７２の各々における第１のスイッチ３１、第２のスイッチ３２および第３のスイッチ３４の開閉を制御する。制御部４３は、後述する制御方式に従って当該開閉を制御することにより、機器５０，５１，５２が接続されている相を他の相に切り替える。
【００８９】
＜制御方式＞
図９を参照しながら、制御部４３の具体的な制御方式について説明する。なお、制御部４３は、第１のスイッチ３１、第２のスイッチ３２および第３のスイッチ３４をオンオフ制御する場合には、図４で説明したようなオーバーラップ時間を設ける。
【００９０】
図９は、実施の形態３に従う制御部の制御方式の一例を説明するための図である。なお、図９には、説明の容易化および図面の見やすさのため、三相切替装置２０３の構成の一部および符号を図示しないが、これらは上述した図のように構成されているものとする。これは図１０についても同じである。
【００９１】
図９（ａ）では、第１の開閉器７１ｘ，７１ｙ，７１ｚの各々の第３のスイッチ３４が閉じられ、他のスイッチは全て開放されている。このとき、第１の開閉器７１が接続された相に機器５０，５１，５２が接続されている。具体的には、機器５０は、ＢＣ相に接続され、機器５１はＡＢ相に接続され、機器５２はＣＡ相に接続されている。
【００９２】
図９（ｂ）に示すように、制御部４３は、図９（ａ）の状態から、第１の開閉器７１ｘ，７１ｙ，７１ｚの各々における第１のスイッチ３１を閉じた後、第１の開閉器７１ｘ，７１ｙ，７１ｚの各々における第３のスイッチ３４を開放する。
【００９３】
続いて、図９（ｃ）に示すように、制御部４３は、図９（ｂ）の状態から、第２の開閉器７２ｘ，７２ｙ，７２ｚの各々における第２のスイッチ３２を閉じる。このとき、切替部２３ｘにおいて、第１の開閉器７１ｘの第１のスイッチ３１と、第２の開閉器７２ｘの直列体とを介して電流のループ状態が形成される。同様に、他の切替部２３ｙ，２３ｚにおいても電流のループ状態が形成される。
【００９４】
続いて、図９（ｄ）に示すように、制御部４３は、図９（ｃ）の状態から、第１の開閉器７１ｘ，７１ｙ，７１ｚの各々における第１のスイッチ３１を開放する。これにより、上述したループ電流は流れなくなり、第２の開閉器１２の直列体を介して電力が機器５０，５１，５２に供給される。
【００９５】
続いて、図９（ｅ）に示すように、制御部４３は、図９（ｄ）の状態から、第２の開閉器７２ｘ，７２ｙ，７２ｚの各々における第１のスイッチ３１を閉じた後、第２の開閉器７２ｘ，７２ｙ，７２ｚの各々における第２のスイッチ３２を開放する。これにより、電流経路から電流制限素子３３を外した状態で、機器５０，５１，５２に電力を供給することができる。
【００９６】
さらに、図９（ｆ）に示すように、制御部４３は、図９（ｅ）の状態から、第２の開閉器７２ｘ，７２ｙ，７２ｚの各々における第３のスイッチ３４を閉じた後、第２の開閉器７２ｘ，７２ｙ，７２ｚの各々における第１のスイッチ３１を開放する。これにより、抵抗の小さい第３のスイッチ３４を介して電流が流れるため、電力損失を小さくすることができる。
【００９７】
制御部４３のこのような制御方式により、機器５０の接続相はＢＣ相からＡＢ相に切り替わり、機器５１の接続相はＡＢ相からＣＡ相に切り替わり、機器５２の接続相はＣＡ相からＢＣ相に切り替わる。
【００９８】
次に、切替後の相を切替前の相に戻す場合の制御方式について説明する。具体的には、切替後のＣ相を切替前のＡ相に、切替後のＡ相を切替前のＢ相に、切替後のＢ相を切替前のＣ相に戻す場合の制御方式について説明する。
【００９９】
図１０は、実施の形態３に従う制御部の制御方式の他の例を説明するための図である。なお、制御部４３は、第１のスイッチ３１、第２のスイッチ３２および第３のスイッチ３４をオンオフ制御する場合には、図４に示したようなオーバーラップ時間を設ける。
【０１００】
図１０（ａ）に示すように、第２の開閉器７２ｘ，７２ｙ，７２ｚの各々における第３のスイッチ３４を介して、第２の開閉器７２が接続された相に機器５０，５１，５２が接続されている。すなわち、図１０（ａ）の状態は、図９（ｆ）の状態と同じである。
【０１０１】
図１０（ｂ）に示すように、制御部４３は、図１０（ａ）の状態から、第２の開閉器７２ｘ，７２ｙ，７２ｚの各々における第１のスイッチ３１を閉じた後、第２の開閉器７２ｘ，７２ｙ，７２ｚの各々における第３のスイッチ３４を開放する。続いて、図１０（ｃ）に示すように、制御部４３は、図１０（ｂ）の状態から、第１の開閉器７１ｘ，７１ｙ，７１ｚの各々における第２のスイッチ３２を閉じる。このとき、切替部２３ｘ，２３ｙ，２３ｚにおいて電流のループ状態が形成される。
【０１０２】
続いて、図１０（ｄ）に示すように、制御部４３は、図１０（ｃ）の状態から、第２の開閉器７２ｘ，７２ｙ，７２ｚの各々における第１のスイッチ３１を開放する。続いて、図１０（ｅ）に示すように、制御部４３は、図１０（ｄ）の状態から、第１の開閉器７１ｘ，７１ｙ，７１ｚの各々における第１のスイッチ３１を閉じた後、第１の開閉器７１ｘ，７１ｙ，７１ｚの各々における第２のスイッチ３２を開放する。
【０１０３】
そして、図１０（ｆ）に示すように、制御部４３は、図１０（ｅ）の状態から、第１の開閉器７１ｘ，７１ｙ，７１ｚの各々における第３のスイッチ３４を閉じた後、第１の開閉器７１ｘ，７１ｙ，７１ｚの各々における第１のスイッチ３１を開放する。
【０１０４】
制御部４３は、上記のような制御方式により、各機器の接続相を、切替前の接続相に戻すことができる。
【０１０５】
＜その他＞
実施の形態３においても、実施の形態１と同様に、三相切替装置２０３の低圧側に機器５０，５１，５２が接続されている構成に限られない。具体的には、三相切替装置２０３の低圧側に機器５０，５１，５２のうちの１以上の機器が接続されていればよい。
【０１０６】
＜利点＞
実施の形態３によると、抵抗の小さいスイッチを介して各機器に電力を供給することができる。そのため、実施の形態３に従う三相切替装置を用いることで、実施の形態１の利点に加えて、電力損失を小さくすることができる。
【０１０７】
［実施の形態４］
実施の形態４では、実施の形態１〜３に従う三相切替装置を利用した三相切替システムについて説明する。
【０１０８】
図１１は、実施の形態４に従う三相切替システム１０００の全体構成を示す図である。図１１に示すように、電力系統には、図１１に示すように多数の三相配電線１〜１ｎがあるが、説明の容易化のため、多数の三相配電線の中の任意の三相配電線１について説明する。
【０１０９】
三相切替システム１０００は、複数の変圧器７と、検出器３と、送信機４と、通信ネットワーク５と、監視装置６と、高圧側変圧器２と、送受信機８ｘ，８ｙ，８ｚ（以下「送受信機８」とも総称する。）と、検出器９ｘ，９ｙ，９ｚ（以下「検出器９」とも総称する。）と、三相切替装置５００ｘ，５００ｙ，５００ｚ（以下「三相切替装置５００」とも総称する。）と、単相機器１００ａ，１００ｂ，１００ｃとを含む。なお、三相配電線１〜１ｎは、さらに高圧の系統電源から高圧側変圧器２を介して電力供給される。
【０１１０】
また、三相切替装置５００ｘ，５００ｙ，５００ｚの各々の低圧側には１以上の単相機器が接続され、高圧側には三相配電線１が接続されている。三相切替装置５００ｘ，５００ｙ，５００ｚの各々は、１以上の単相機器が接続される相を切り替え可能に構成されている。なお、三相切替装置５００ｘ，５００ｙ，５００ｚの各々は、上述した実施の形態１に従う三相切替装置２００の構成および機能を有するものとする。
【０１１１】
検出器３は、三相配電線１の三相負荷における各相電流、各相電圧、または各相電力を検出する。検出器３は、たとえば、三相配電線１の三相負荷電流における各相電流を検出する相電流検出器、三相負荷電圧における各相電圧を検出する相電圧検出器、または三相負荷電力における各相電力を検出する相電力検出器で構成される。
【０１１２】
送信機４は、通信ネットワーク５を介して、検出器３において検出された検出結果（各相電流、各相電圧または各相電力）を監視装置６に送信する。
【０１１３】
検出器９ｘ，９ｙ，９ｚは、それぞれ三相切替装置５００ｘ，５００ｙ，５００ｚの低圧側（単相機器１００側）に設けられる。検出器９は、三相切替装置５００ｘ，５００ｙ，５００ｚの低圧側の電流、電圧または電力を検出する。検出器９は、たとえば、低圧側に流れる電流を検出する電流検出器、低圧側に印加される電圧を検出する電圧検出器、または低圧側に供給される電力を検出する電力検出器で構成される。なお、検出器９ｘ，９ｙ，９ｚは、それぞれ三相切替装置５００ｘ，５００ｙ，５００ｚの高圧側に設けられていてもよい。この場合、検出器９は、高圧側に流れる電流を検出する電流検出器、高圧側に印加される電圧を検出する電圧検出器、または高圧側に供給される電力を検出する電力検出器で構成される。
【０１１４】
送受信機８ｘ，８ｙ，８ｚは、それぞれ検出器９ｘ，９ｙ，９ｚにより検出された検出結果（三相切替装置５００ｘ，５００ｙ，５００ｚの低圧側電力など）を監視装置６に送信する。
【０１１５】
監視装置６は、通信機能を有し、通信ネットワーク５および送受信機８を介して、三相切替装置５００と通信可能に構成されている。監視装置６は、周知のコンピュータで構成される。典型的には、監視装置６は、演算装置、記憶装置、入出力装置などのハードウェア資源を有し、演算装置が記憶装置に記憶されたプログラムを読み出し実行することで、後述する機能を発揮する。
【０１１６】
具体的には、監視装置６は、検出器３において検出された各相電力（各相電流または各相電圧）と、検出器９により検出された低圧側の電力（電流または電圧）とに基づいて、複数の三相切替装置５００の中から切り替え対象となる三相切替装置を選択し、当該選択された三相切替装置に対して切り替え先の相（切替先相）を指示する。詳細には、監視装置６は、通信ネットワーク５および送受信機８を介して、切替先相を示す切替情報を当該選択された三相切替装置に送信する。三相切替装置の制御部は、監視装置６から指示された切替先相に基づいて、単相機器１００が接続される相の切り替えを実行する。
【０１１７】
ここで、切り替え対象の三相切替装置５００の選択方式と、切替先相の決定方式について、具体例を挙げて説明する。ここでは、説明の容易化のため、監視装置６が三相配電線１のＡＢ相、ＢＣ相、およびＣＡ相の負荷量（電力量）を平均化して三相不平衡を解消する場合について説明する。また、監視装置６は、検出器３により検出された各相電力に基づいて、三相配電線１のＡＢ相、ＢＣ相、およびＣＡ相にそれぞれ接続される単相機器１００の負荷量を把握しているものとする。
【０１１８】
まず、監視装置６は、切り替え前の段階において、三相配電線１のＡＢ相における負荷量が−６ｋｗであり、ＢＣ相における負荷量が４ｋｗであり、ＣＡ相における負荷量が−４ｋｗであると把握しているとする。なお、ＡＢ相およびＣＡ相における負荷量の値が負になっている理由は、ＡＢ相およびＣＡ相に接続される機器の中に太陽発電装置などの分散電源が含まれており、消費電力量より発電量の方が多くなっているからである。
【０１１９】
また、監視装置６は、検出器９により検出された電力に基づいて、三相切替装置５００の低圧側の負荷量を把握することができる。たとえば、監視装置６は、切り替え前の段階で、三相切替装置５００ｘの低圧側において、ＡＢ相に接続されている単相機器１００ａの負荷量が４ｋｗ、ＢＣ相に接続されている単相機器１００ｂの負荷量が８ｋｗ、ＣＡ相に接続されている単相機器１００ｃの負荷量が２ｋｗであると把握しているとする。
【０１２０】
ここで、三相切替装置５００ｘが、Ａ相をＣ相に、Ｂ相をＡ相に、Ｃ相をＢ相に切り替えた場合には、負荷量が４ｋｗである単相機器１００ａはＣＡ相に接続され、負荷量が８ｋｗである単相機器１００ｂはＡＢ相に接続され、負荷量が２ｋｗである単相機器１００ｃはＢＣ相に接続されることになる。その結果、三相切替装置５００ｘの低圧側においては、切替前後で、ＡＢ相の負荷量が＋４ｋｗ、ＢＣ相の負荷量が−６ｋｗ、ＣＡ相の負荷量が＋２ｋｗとなる。
【０１２１】
そのため、切替前の三相配電線１のＡＢ相の負荷量（−６ｋｗ）、ＢＣ相の負荷量（４ｋｗ）、およびＣＡ相の負荷量（−４ｋｗ）を考慮すると、三相切替装置５００ｘの上記切替により、三相配電線１のＡＢ相、ＢＣ相、ＣＡ相ともに負荷量がすべて−２ｋｗとなることから、三相負荷量が平均化され、三相不平衡が解消されることになる。
【０１２２】
そこで、監視装置６は、三相配電線１の三相不平衡を解消するために、三相切替装置５００ｘに対して、Ａ相をＣ相に、Ｂ相をＡ相に、Ｃ相をＢ相に切り替えるように指示する。三相切替装置５００ｘは、当該切替指示を受信すると、上述した制御方式に従って、Ａ相をＣ相に、Ｂ相をＡ相に、Ｃ相をＢ相に切り替える。監視装置６は、三相切替装置５００ｘから切り替えが終了したことを示す終了通知を受信すると、検出器３で検出される各相電力を送信機４および通信ネットワーク５を介して受信して、三相不平衡が解消されたことを確認することができる。
【０１２３】
上記では、監視装置６は、三相の負荷量（電力量）を平均化するように切り替える場合について説明したが、これに限られない。たとえば、検出器３で検出された各相電流と検出器９で検出された電流とに基づいて、三相の負荷電流を平均化するように切り替えてもよいし、検出器３で検出された各相電圧と検出器９で検出された電圧とに基づいて、三相の負荷電圧を平均化するように切り替えてもよい。
【０１２４】
上記では、三相切替装置５００が実施の形態１に従う三相切替装置２００の構成および機能を有する場合について説明した。しかしながら、三相切替装置５００は、実施の形態２に従う三相切替装置２０２の機能および構成を有していてもよいし、実施の形態３に従う三相切替装置２０３の機能および構成を有していてもよい。
【０１２５】
＜利点＞
実施の形態４では、監視装置が複数の三相切替装置のうちどの三相切替装置を切り替え対象とし、またどの相に切り替えれば三相不平衡を抑制または解消することができるのかを判断することができる。そのため、三相配電線の各２相（ＡＢ相、ＢＣ相、ＣＡ相）に接続される機器の負荷量が変動しても、迅速にかつ適切に三相不平衡状態を解消することが可能となる。
【０１２６】
［実施の形態５］
実施の形態５では、実施の形態４に従う三相切替システムの変形例について説明する。図１２は、実施の形態５に従う三相切替システムの全体概要を示す図である。実施の形態５に従う三相切替システム１１００は、実施の形態４に従う三相切替システム１０００における三相配電線１が、三相配電線１の区分開閉器などにより複数の区分に分割されている構成である。そのため、三相切替システム１１００の構成のうち、三相切替システム１０００と同じ構成についてはその詳細な説明は繰り返さない。
【０１２７】
図１２を参照して、三相配電線１は、複数の区分１ｘ，１ｙ，１ｚを有している。具体的には、三相配電線１は複数の区分開閉器４００ｘ，４００ｙ，４００ｚにより複数の区分１ｘ、１ｙ、１ｚに分割されて管理されている。また、図１２では、区分１ｘに三相切替装置５００ｘが設けられており、区分１ｙに三相切替装置５００ｙが設けられている例を示している。
【０１２８】
検出器３ｘ，３ｙ，３ｚは、それぞれ区分１ｘ、１ｙ、１ｚの各相電流（または、各相電圧、各相電力）を検出する。また、送信機４ｘ，４ｙ，４ｚは、それぞれ検出器３ｘ，３ｙ，３ｚにより検出された区分ごとの検出結果を監視装置６に送信する。
【０１２９】
このように、三相切替システム１１００では、監視装置６は、区分１ｘ，１ｙ，１ｚごとに設けられた検出器３ｘ，３ｙ，３ｚにより検出された各相電流などを把握することができるため、区分ごとに三相不平衡状態を監視することができる。
【０１３０】
具体的には、監視装置６は、各々の検出器３の検出結果と検出器９の検出結果とに基づいて、区分ごとに設けられた三相切替装置５００の中から切り替え対象となる三相切替装置を選択し、当該選択された三相切替装置に切替相を指示する。つまり、監視装置６は、区分１ｘ，１ｙ，１ｚのそれぞれの負荷量に基づいて、三相配電線１の全体の負荷量を平均化するように切替対象の三相切替装置５００に切替相を指示する。これにより、実施の形態４と同様に、三相配電線１の全体の三相不平衡を解消（または抑制）することができる。
【０１３１】
また、区分ごとに複数の三相切替装置５００が設けられている場合には、監視装置６は、区分内での三相不平衡を解消することもできる。たとえば、区分１ｘに複数の三相切替装置５００が設けられている場合を想定する。この場合、監視装置６は、検出器３ｘの検出結果と検出器９ｘの検出結果とに基づいて、三相配電線１の区分１ｘの負荷量を平均化するように、当該区分１ｘに設けられた複数の三相切替装置５００の中から切り替え対象となる三相切替装置を選択し、当該選択された三相切替装置に切替相を指示する。これにより、区分１ｘ内での三相不平衡を解消することもできる。
【０１３２】
＜利点＞
実施の形態５によると、実施の形態４の利点に加えて、各相の偏りを区分単位で把握することができるため、電流系統の異常時において別ルートから電力を融通するときに、区分単位で電力の融通可否を判断できる。また、区分ごとに三相不平衡を抑制でき、より細かい地域別に各相の偏りを抑制することができる。
【０１３３】
［実施の形態６］
図１３は、実施の形態６に従う三相切替システム１２００の構成を示す概略図である。
【０１３４】
図１３を参照して、三相切替システム１２００は、三相配電線１，１０と、三相切替装置３０１，３０２と、機器５０，５１，５２とを含む。三相配電線１と三相配電線１０とは、互いに異なる系統の三相配電線である。
【０１３５】
三相切替装置３０１は、機器５０，５１，５２と三相配電線１との間に接続されている。具体的には、三相切替装置３０１の低圧側には機器５０，５１，５２が接続され、高圧側には三相配電線１が接続されている。三相切替装置３０１は、三相配電線１の３相のうちの互いに異なる相にそれぞれ接続される第１の開閉器８１ｘ，８１ｙ，８１ｚを含む。
【０１３６】
具体的には、第１の開閉器８１ｘは、高圧側でＡ相に接続されており、低圧側で機器５１，５２の一端に接続されている。第１の開閉器８１ｙは、高圧側でＢ相に接続されており、低圧側で機器５０の一端および機器５１の他端に接続されている。第１の開閉器８１ｚは、高圧側でＣ相に接続されており、低圧側で機器５０，５２の他端に接続されている。
【０１３７】
三相切替装置３０２は、機器５０，５１，５２と三相配電線１０との間に接続されている。具体的には、三相切替装置３０２の低圧側には機器５０，５１，５２が接続され、高圧側には三相配電線１０が接続されている。三相切替装置３０２は、三相配電線１０の３相のうちの互いに異なる相にそれぞれ接続される第２の開閉器８２ｘ，８２ｙ，８２ｚを含む。すなわち、三相切替装置３０２は、三相切替装置３０１における複数の第１の開閉器８１ｘ，８１ｙ，８１ｚのそれぞれに対応する複数の第２の開閉器８２ｘ，８２ｙ，８２ｚを有している。
【０１３８】
第２の開閉器８２ｘは、高圧側でＣ相に接続されており、低圧側で対応する第１の開閉器８１ｘにおける低圧側（機器５１，５２の一端側）に接続されている。第２の開閉器８２ｙは、高圧側でＡ相に接続されており、低圧側で対応する第１の開閉器８１ｙにおける低圧側に接続されている。第１の開閉器８１ｚは、高圧側でＢ相に接続されており、低圧側で対応する第１の開閉器８１ｚにおける低圧側に接続されている。
【０１３９】
第１の開閉器８１および第２の開閉器８２の各々は、第１のスイッチ３１と、第２のスイッチ３２と、電流制限素子３３とを含む。第１のスイッチ３１は、対応する相に直列接続される。具体的には、第１の開閉器８１ｘ，８１ｙ，８１ｚの各々の第１のスイッチ３１は、それぞれ三相配電線１のＡ相、Ｂ相、Ｃ相に直列接続される。第２の開閉器８２ｘ，８２ｙ，８２ｚの各々の第１のスイッチ３１は、それぞれ三相配電線１０のＣ相、Ａ相、Ｂ相に直列接続される。
【０１４０】
第２のスイッチ３２と電流制限素子３３とから構成される直列体は、第１のスイッチ３１に並列接続される。なお、第１のスイッチ３１と、第２のスイッチ３２と、電流制限素子３３については、図面の見やすさを考慮して、代表して第１の開閉器８１ｘおよび第２の開閉器８２ｘのみ符号を図示している。
【０１４１】
制御装置３５０は、第１の開閉器８１および第２の開閉器８２の各々における第１のスイッチ３１および第２のスイッチ３２の開閉を制御する。制御装置３５０は、実施の形態１に従う制御部４０と同様な制御を実行することで、機器５０，５１，５２の接続相を切り替える。
【０１４２】
具体的には、制御装置３５０は、第１の開閉器８１ｘ，８１ｙ，８１ｚについては、制御部４０が第１の開閉器１１ｘ，１１ｙ，１１ｚに対して実行する開閉制御と同じ開閉制御を行なう。制御装置３５０は、第２の開閉器８２ｘ，８２ｙ，８２ｚについては、制御部４０が第２の開閉器１２ｘ，１２ｙ，１２ｚに対して実行する開閉制御と同様の開閉制御を行なう。
【０１４３】
これにより、三相配電線１のＡ相，Ｂ相，Ｃ相が、それぞれ三相配電線１０のＣ相，Ａ相，Ｂ相に切り替わる。具体的には、機器５０の接続相は三相配電線１のＢＣ相から三相配電線１０のＡＢ相に切り替わり、機器５１の接続相は三相配電線１のＡＢ相から三相配電線１０のＣＡ相に切り替わり、機器５２の接続相は三相配電線１のＣＡ相から三相配電線１０のＢＣ相に切り替わる。
【０１４４】
上記では、三相配電線１のＡ相，Ｂ相，Ｃ相が、それぞれ三相配電線１０のＣ相，Ａ相，Ｂ相に切り替える場合について例示したが、切替方式はこれに限られない。たとえば、三相配電線１のＡ相，Ｂ相，Ｃ相が、それぞれ三相配電線１０のＢ相，Ｃ相，Ａ相に切り替えられる場合であってもよい。
【０１４５】
また、三相配電線１の３相のうちの２相のみを三相配電線１０の２相に切り替える場合であってもよい。たとえば、三相配電線１のＡ相，Ｂ相をそれぞれ三相配電線１０のＢ相，Ａ相に、三相配電線１のＢ相，Ｃ相をそれぞれ三相配電線１０のＣ相，Ｂ相に、三相配電線１のＣ相，Ａ相を、それぞれ三相配電線１０のＡ相，Ｃ相に切り替える場合であってもよい。
【０１４６】
また、上記では、実施の形態１に従う三相切替装置２００の構成に基づいて実施の形態６を説明したが、これに限られない。たとえば、実施の形態２に従う三相切替装置２０２の第１、第２および第３の開閉器をそれぞれ異なる系統の三相配電線に接続する構成であってもよいし、実施の形態３に従う三相切替装置２０３の第１、第２の開閉器をそれぞれ異なる系統の三相配電線に接続する構成であってもよい。
【０１４７】
＜その他＞
実施の形態６においても、実施の形態１と同様に、三相切替装置３０１，３０２の低圧側に機器５０，５１，５２が接続されている構成に限られない。具体的には、三相切替装置３０１，３０２の低圧側に機器５０，５１，５２のうちの１以上の機器が接続されていればよい。
【０１４８】
＜利点＞
実施の形態６によると、第１の三相配電線に接続されている機器により三相不平衡が発生している場合に、異なる系統の三相配電線に機器を接続し直すことにより第１の三相配電線の三相不平衡を解消または抑制することができる。
［実施の形態７］
上述した実施の形態１〜３では、三相切替装置が３つの切替部を含む構成について説明したが、実施の形態７では三相切替装置が２つの切替部を含む構成について説明する。
【０１４９】
＜装置構成＞
図１４は、実施の形態７に従う三相切替装置２０４の構成を示す概略図である。
【０１５０】
図１４を参照して、三相切替装置２０４は、機器５０と三相配電線１との間に接続されている。具体的には、三相切替装置２０４の低圧側には機器５０が接続され、高圧側には三相配電線１が接続されている。三相切替装置２００は、機器５０が接続される相を切り替え可能に構成されている。
【０１５１】
三相切替装置２０４は、切替部２０ｙ，２０ｚと、制御部４０とを含む。すなわち、三相切替装置２０４は、実施の形態１に従う三相切替装置２００から切替部２０ｘを除いた構成に相当する。そのため、三相切替装置２０４の構成のうち、実施の形態１に従う三相切替装置２００の構成と同じ構成についてはその詳細な説明は繰り返さない。
【０１５２】
切替部２０ｙにおいて、第１の開閉器１１ｙは、高圧側で切替部２０ｙが接続された２相（Ｂ相、Ａ相）のうちのＢ相に接続されており、低圧側で機器５０の一端に接続されている。また、第２の開閉器１２ｙは、高圧側でＡ相に接続されており、低圧側で第１の開閉器１１ｙにおける低圧側に接続されている。
【０１５３】
切替部２０ｚにおいて、第１の開閉器１１ｚは、高圧側で切替部２０ｚが接続された２相（Ｃ相、Ｂ相）のうちのＣ相に接続されており、低圧側で機器５０の他端に接続されている。また、第２の開閉器１２ｚは、高圧側でＢ相に接続されており、低圧側で第１の開閉器１１ｚにおける低圧側に接続されている。
【０１５４】
制御部４０は、図３で説明した制御方式と同じ制御方式を用いて、第１の開閉器１１ｙ，１１ｚおよび第２の開閉器１２ｙ，１２ｚを開閉することにより、機器５０の接続相をＢＣ相（図１４の状態）からＡＢ相に切り替えることができる。なお、上述したように、制御部４０は、機器５０の接続相をＡＢ相からＢＣ相に戻すこともできる。
【０１５５】
これにより、たとえば、図６（ａ）に示すように複数の単相機器１００がＢＣ相に集中して接続されている場合であっても、三相切替装置２００ｘ，２００ｙとして三相切替装置２０４を採用して、三相切替装置２０４がＢＣ相からＡＢ相に切り替え動作を行なうことで、無停電で図６（ｂ）に示すように単相機器１００ｃ，１００ｄの接続相を切り替えることができる。
【０１５６】
また、切替部２０ｙ，２０ｚの各々は、三相配電線１の３相（Ａ相、Ｂ相、Ｃ相）のうちの２相にそれぞれ接続され、当該接続された２相の組み合わせが互いに異なっていればよいため、機器５０の接続相の切り替えパターンは上記のパターンに限られない。
【０１５７】
たとえば、第１の開閉器１１ｙ，１１ｚをそれぞれＢ相，Ｃ相に接続し、第２の開閉器１２ｙ，１２ｚをそれぞれＣ相，Ａ相に接続している場合には、三相切替装置２０４は機器５０の接続相をＢＣ相からＣＡ相（または、ＣＡ相からＢＣ相）に切替可能である。
【０１５８】
また、三相切替装置２０４は、第１の開閉器１１ｙ，１１ｚをそれぞれＡ相，Ｂ相に接続し、第２の開閉器１２ｙ，１２ｚをそれぞれＣ相，Ａ相に接続している場合には、三相切替装置２０４は機器５０の接続相をＡＢ相からＣＡ相（または、ＣＡ相からＡＢ相）に切替可能である。
【０１５９】
上記では、三相切替装置２０４として、実施の形態１に従う三相切替装置２００における切替部２０が２つになった構成について説明した。しかしながら、実施の形態２に従う三相切替装置２０２の切替部２２が２つになった構成、および実施の形態３に従う三相切替装置２０３の切替部２３が２つになった構成においても、実施の形態２および３で説明した制御方式と同様の制御方式により機器５０の接続相を切替可能である。
【０１６０】
＜利点＞
実施の形態７によると、無停電で三相配電線の負荷電流の不平衡を解消、または抑制することができるとともに、三相切替装置の小型化、低コスト化を図ることができる。
【０１６１】
［実施の形態８］
上述した実施の形態７では、三相切替装置が２つの切替部を含む構成について説明したが、実施の形態８では三相切替装置が１つの切替部を含む構成について説明する。
【０１６２】
＜装置構成＞
図１５は、実施の形態８に従う三相切替装置２０５の構成を示す概略図である。
【０１６３】
図１５を参照して、三相切替装置２０５は、機器５０と三相配電線１との間に接続されている。具体的には、三相切替装置２０５の低圧側には機器５０が接続され、高圧側には三相配電線１が接続されている。三相切替装置２０５は、機器５０が接続される相を切り替え可能に構成されている。
【０１６４】
三相切替装置２０５は、切替部２０ｙと、制御部４０とを含む。すなわち、三相切替装置２０５は、実施の形態１に従う三相切替装置２００から切替部２０ｘおよび切替部２０ｚを除いた構成に相当する。そのため、三相切替装置２０５の構成のうち、実施の形態１に従う三相切替装置２００の構成と同じ構成についてはその詳細な説明は繰り返さない。
【０１６５】
切替部２０ｙは、三相配電線の３相のうち、機器５０（の一端）が接続されているＣ相以外の残りの２相（Ｂ相、Ａ相）にそれぞれ接続される。具体的には、切替部２０ｙにおいて、第１の開閉器１１ｙは、高圧側で切替部２０ｙが接続された２相のうちのＢ相に接続されており、低圧側で機器５０の他端に接続されている。また、第２の開閉器１２ｙは、高圧側でＡ相に接続されており、低圧側で第１の開閉器１１ｙにおける低圧側に接続されている。
【０１６６】
制御部４０は、図３で説明した制御方式と同じ制御方式を用いて、第１の開閉器１１ｙおよび第２の開閉器１２ｙを開閉することにより、機器５０の接続相をＢＣ相（図１５の状態）からＡＣ相に切り替えることができる。なお、制御部４０は、機器５０の接続相をＡＣ相からＢＣ相に戻すこともできる。
【０１６７】
また、切替部２０ｙは、三相配電線１の３相（Ａ相、Ｂ相、Ｃ相）のうち、機器５０が接続されている１相以外の残りの２相に接続されていればよいため、接続相の切り替えパターンは上記のパターンに限られない。
【０１６８】
たとえば、機器５０の一端をＡ相に接続し、第１の開閉器１１ｙおよび第２の開閉器１２ｙをそれぞれＢ相、Ｃ相に接続している場合には、三相切替装置２０５は機器５０の接続相をＢＡ相からＣＡ相（またはＣＡ相からＢＡ相）に切り替え可能である。同様に、機器５０の一端をＢ相に接続し、第１の開閉器１１ｙおよび第２の開閉器１２ｙをそれぞれＡ相、Ｃ相に接続している場合には、三相切替装置２０５は機器５０の接続相をＡＢ相からＣＢ相（またはＣＢ相からＡＢ相）に切り替え可能である。
【０１６９】
上記では、三相切替装置２０５として、実施の形態１に従う三相切替装置２００における切替部２０が１つになった構成について説明した。しかしながら、実施の形態３に従う三相切替装置２０３の切替部２３が１つになった構成においても、実施の形態３で説明した制御方式と同様の制御方式により機器５０の接続相を切替可能である。
【０１７０】
＜利点＞
実施の形態８によると、無停電で三相配電線の負荷電流の不平衡を解消、または抑制することができるとともに、実施の形態７と比較して三相切替装置の小型化、低コスト化をより促進することができる。
【０１７１】
［その他の実施の形態］
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１７２】
また、上述した実施の形態において、他の実施の形態で説明した処理や構成を適宜採用して実施する場合であってもよい。
【０１７３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１７４】
１，１０  三相配電線、１ｘ，１ｙ，１ｚ  区分、２  高圧側変圧器、３ｘ，３ｙ，３ｚ  検出器、４ｘ，４ｙ，４ｚ  送信機、５  通信ネットワーク、６  監視装置、７ａ，７ｂ，７ｃ，７ｄ  変圧器、８ｘ，８ｙ，８ｚ  送受信機、９ｘ，９ｙ，９ｚ  検出器、１１ｘ，１１ｙ，１１ｚ，６１ｘ，６１ｙ，６１ｚ，７１ｘ，７１ｙ，７１ｚ，８１ｘ，８１ｙ，８１ｚ  第１の開閉器、１２ｘ，１２ｙ，１２ｚ，６２ｘ，６２ｙ，６２ｚ，７２ｘ，７２ｙ，７２ｚ，８２ｘ，８２ｙ，８２ｚ  第２の開閉器、２０ｘ，２０ｙ，２０ｚ，２２ｘ，２２ｙ，２２ｚ，２３ｘ，２３ｙ，２３ｚ  切替部、３１  第１のスイッチ、３２  第２のスイッチ、３３  電流制限素子、３４  第３のスイッチ、４０，４２，４３  制御部、５０，５１，５２  機器、６３ｘ，６３ｙ，６３ｚ  第３の開閉器、１００ａ，１００ｂ，１００ｃ，１００ｄ  単相機器、２００ｘ，２００ｙ，２０２，２０３，２０４，２０５，３０１，３０２，５００ｘ，５００ｙ，５００ｚ  三相切替装置、３５０  制御装置、４００ｘ，４００ｙ，４００ｚ  区分開閉器、１０００，１１００，１２００  三相切替システム。
【図１】
2015213381.tif 000003
【図２】
2015213381.tif 000004
【図３】
2015213381.tif 000005
【図４】
2015213381.tif 000006
【図５】
2015213381.tif 000007
【図６】
2015213381.tif 000008
【図７】
2015213381.tif 000009
【図８】
2015213381.tif 000010
【図９】
2015213381.tif 000011
【図１０】
2015213381.tif 000012
【図１１】
2015213381.tif 000013
【図１２】
2015213381.tif 000014
【図１３】
2015213381.tif 000015
【図１４】
2015213381.tif 000016
【図１５】
2015213381.tif 000017